(57)【特許請求の範囲】
【請求項１】
ハウジングと、シリンジの後端に繋ぐため、前記ハウジング中に形成した前開口と、前記開口及び前記シリンジの前記後端の開口を通って、シリンジ中に配置されたプランジャーに駆動力を加える駆動手段と、シリンジを注入器ヘッドに保持する圧力ジャケット（212）とを具え、前記圧力ジャケット（212）は、
先端開口と、注入器ヘッドに繋がる後端を有するジャケット筒（216）と、
注入器ヘッドに取り付けた後端と先端を有する第１連結棒（238）と、
前記第１連結棒（238）の前記先端に取り付けた第１前保持板（222）とを具え、
該第１前保持板（222）は、シリンジを前記ジャケット筒（216）中へ保持する閉じ位置と、シリンジの装填及び取り出しが出来る開位置の間で、回動する流体注入装置。
【請求項２】
ハウジングと、シリンジの後端を繋ぐための前開口部と、該開口部及びシリンジの前記後端開口部を通って延び、シリンジ中に配置されたプランジャーに駆動力を加える駆動手段とを有する注入器ヘッドと、
注入器ヘッドにシリンジを保持する圧力ジャケット（212）
とを具え、圧力ジャケット（212）は、
開放された前端と注入器ヘッドに結合した後端を有するジャケット筒（216）と、
前記注入器ヘッドへ、回転可能に取り付けた後端と、前端とを有する第１連結棒（238）と、
前記注入器ヘッドへ、回転可能に取り付けた後端と、前端とを有する第２連結棒（240）と、
前記第１及び第２連結棒の前記前端へ繋がれた前保持板（222）、
とを具え、該保持板（222）と前記連結棒（238）（240）は、前記ジャケット筒（216）中へシリンジを保持する閉じ位置と、前記ジャケット筒へシリンジの装填と取り出しを行う開位置の間を回動する流体注入装置。
【請求項３】
ハウジングと、シリンジの後端へ連結するため前記ハウジングに形成した前開口部と、前記開口部及びシリンジの前記後端の開口を通って延び、シリンジ中に配置されたプランジャーに駆動力を加える駆動装置とを有する注入器ヘッドと、
シリンジ（254）を注入器ヘッドへ保持する圧力ジャケット（252）
を具え、
圧力ジャケット（252）は長手方向の軸周りに形成され、開口した前端と前記ハウジングの前記前板へ横向きに回転可能に繋がれた後端を有し、閉じ位置と開位置の間を回動するジャケット筒（258）と、
後端と前端を有して、該後端は前記注入器ヘッドへ取り付けられた腕（266）と、
該腕（266）の前面へ取り付けられた保持壁（268）とを具え、保持壁（268）はジャケット筒（258）が閉じ位置にあるとき、シリンジ（254）をジャケット筒（258）中へ保持し、前記ジャケット（252）はジャケット筒（258）が開位置にあるときシリンジ（254）の前面開口からの挿入と取り出しが出来、
腕（266）の保持壁（268）は、圧力ジャケット（252）が閉位置にあるときに、シリンジ（254）の前端部を保持する流体注入装置。
【請求項４】
ハウジングとシリンジの後端に繋がるために、ハウジングに形成された前開口部と、該開口部及びシリンジの前記後端の開口を通って延び、シリンジ中に配置されているプランジャーへ駆動力を加える駆動手段とを有する注入器ヘッド及び、注入器ヘッドに対しシリンジを保持する圧力ジャケット（212）を具え、圧力ジャケット（212）は、
シリンジを受ける開口前端と、第１連結具（230）によって注入器ヘッドへ取り付けられた後端とを有するジャケット筒（216）と、
前端と第２連結具（232）によって注入器ヘッドへ取り付けられた後端とを有する、少なくとも１つの腕部材と、
腕部材の前端へ取り付けられた前保持板（222）、
とを具え、第１連結具（230）と第２連結具（232）の少なくとも一方は、ジャケット筒（216）と腕部材の間で、相対的な回転運動をさせる枢止手段である流体注入装置。
【発明の詳細な説明】
発明の技術分野
本発明は、注入器ヘッドにシリンジを取り付けるための圧力ジャケット構造に関するものである。具体的には、本発明は圧力ジャケット構造であって、シリンジを注入器ヘッドの前方から装填と取り外しができ、注入操作中はシリンジを注入器ヘッドへしっかりと保持するものである。
発明の背景
医学の分野では、患者には血管造影法等の操作の際、流体の注入がしばしば行われている。そのような操作においては、患者へ多量の流体を、制御して注入することが必要であり、接続チューブによってシリンジにつながれた注入針が、流体の導管として使われる。シリンジは、注入器ヘッドを有する動力付き注入器へ取り付けられる。
長期間注入液に適用するため、シリンジは所定最小の壁厚で、ポリプロピレンで作られている。流体を患者へ注入するため、１２００ｐ．ｓ．ｉ．もの圧力が加えられるから、厚さは重要な意味を持つ。安全性と衛生上の理由から、流体が変わり患者が変わる毎に別の使い捨てシリンジが使用されている。
この分野では、シリンジの使用中、それを包んで保持する圧力ジャケットが知られている。圧力ジャケットは、シリンジが破裂したり、シリンジプランジャーのシールから圧力流体が漏れ出す原因となる、シリンジの半径方向の膨張を制限することに役立つ。圧力ジャケットのもう一つの利点は、シリンジが前へ押し出されることを防止する点である。例えば断面積１．７平方インチの２００ｍｌシリンジが、１２００ｐ．ｓ．ｉ．によって前方に動かされることを止めるには、２０００ポンドの力が必要である。
一体構造の圧力ジャケット構造があって、そこではシリンジはジャケットの後端からジャケット中へ挿入されるようになっている。そのような圧力ジャケットの例は、本願と同じ譲受人へ譲渡された米国特許第４６７７９８０号に開示されている。シリンジの首部は、圧力ジャケットの前端から突出して、患者へつながっている流体路を接続する。シリンジの首部直径は、シリンジ胴のそれよりはるかに小さいから、それは半径方向及び前向き方向の力に耐えることができる。
しかしそのような構造のものは、シリンジを圧力ジャケットから取り外す際に問題がある。シリンジの首部は、圧力ジャケット構造を通過せねばならない。それは、患者への流体路へのつながりを絶つ必要があり、それは患者に対し生物学的危険があり、また、流体を圧力ジャケット中へ撒き散らすかもしれない。更に、装填及びシリンジからの空気排出の際に撒き散らされた流体は、圧力ジャケットの内部に入ることがあり、拭き取りが必要になる。
そのため注入器ヘッド部へシリンジを前から装填でき、また注入器ヘッド部から取り外す際、患者との流体路を遮断することなく行える圧力ジャケット装置が必要とされる。
発明の要旨
本発明は、前方装填式圧力ジャケット装置に関するものであって、ハウジングと、前方の開口を有する注入器ヘッドとを具えた注入器に使用される。シリンジが、注入器の前方開口へつながれ、シリンジを通る流体流れを作る。圧力ジャケットは、シリンジを注入器ヘッドへ保持している。注入器の前方開口を通ってピストンが伸びることにより、シリンジ中のプランジャーに駆動力を伝えて流体流れを生じさせる。
本発明のある実施例では、圧力ジャケットは第１及び第２ジャケット半体を有しており、各ジャケット半体はシリンジの外表面に合致する内表面を有している。蝶番軸が、注入器ヘッドの前面から伸びる。第１及び第２ジャケット半体は、蝶番軸へ回転可能に取り付けられる。ジャケット半体は、開き位置の時、シリンジの装填と取り外しができ、閉じ位置によってジャケットはシリンジを包囲する。
本発明の第２実施例は、第１及び第２ジャケット半体を有する圧力ジャケットを具えており、各ジャケット半体は、前端即ち末端部と後端即ち基部を有している。注入器前面へ、蝶番によって回転可能につなぐことにより、第１及び第２ジャケット半体は、開き位置ではシリンジの装填と取り外しができ、閉じ位置ではジャケットがシリンジをほぼ包囲する。ロック環が、第１及び第２ジャケット半体の周りに配置される。ロック環は、第１及び第２ジャケット半体が閉じ位置にあるとき、その前端部におかれ、開位置の時は環はジャケット半体の基端部近傍に位置する。
本発明の第３実施例では、圧力ジャケットは先端が開いた中空筒部と、注入器ヘッドに結合した後部を有している。筒部は、前端と後端とを有する少なくとも１本のロック指を備え、後端近傍に枢軸が設けられる。枢軸は、筒部の末端開口部につながれている。ロック指は閉じ位置に回動して、ロック指の前端がシリンジを筒内部へ保持する働きをする。ロック指は、開位置に回動してシリンジの装填と取り外しができる。
本発明の第４実施例は、前端を開口し後端を注入器ヘッドに取り付けたジャケット筒を有する圧力ジャケットを具えている。第１連結棒の後端が注入器ヘッドに取り付けられ、前端が第１前板に取り付けられている。第１前板は、シリンジをジャケット筒内に保持する閉じ位置と、シリンジの装填または取り外しができる開位置の間を回動する。第２連結棒も同様に後端は注入器ヘッドに取り付けられ、前端は第２前板へ取り付けられている。第２前板は、シリンジをジャケット筒内へ保持する閉じ位置と、シリンジの装填または取り外しができる開位置の間で回動する。
本発明の第５実施例は、前端が開口し、後端はジャケットヘッドへ取り付けられたジャケット筒を有する圧力ジャケットを具えている。第１回転軸が注入器ヘッドに設けられ、第１連結棒が第１回転軸へ取り付けられる。第２回転軸が注入器ヘッドに設けられ、第２連結棒が第２回転軸へ取り付けられる。連結棒の前端をつなぐ前保持板が、シリンジをジャケット筒内に保持する閉じ位置と、ジャケット筒へのシリンジの装填または取り外しができる開位置との間を、回動可能に設けられている。
本発明の第６実施例は、長手方向軸の周りに形成され、前端と後端が開口したジャケット筒を有する圧力ジャケットを具えている。ジャケット筒は、ハウジングの前面へ横向きに枢止され、ジャケット筒は閉じ位置と開位置の間を回動する。後端を注入器ヘッドへ止めた腕に保持部材の後端が取り付けられる。ジャケット筒が閉じ位置にあるとき、保持部材はシリンジをジャケット筒中へ保持する。ジャケット位置が開位置にあるとき、ジャケットはシリンジの装填と取り外しができる。
本発明の第７実施例は、注入器ヘッド中へ引き込みできる摺動可能なキャノピーを有する圧力ジャケットを有している。後端を注入器ヘッドに取り付けた腕が設けられる。腕の前端は保持部材へ連結され、シリンジを保持する。キャノピーは、シリンジを保持する閉じ位置と、シリンジの装填または取り外しのできる開位置間を摺動する。
【図面の簡単な説明】
図１は、本発明の実施例に使用される注入器ヘッドと、前方装填型シリンジの概略図である。
図２は、開き位置にある本発明の第１実施例の斜面図である。
図３は、開位置にある本発明の第１実施例の正面図である。
図４は、閉じ位置にある本発明の第１実施例の斜面図である。
図５は、閉じ位置にある本発明の第１実施例の正面図である。
図６は、開位置にある本発明の第２実施例の斜面図である。
図７は、閉じ位置にある本発明の第２実施例の斜面図である。
図８は、本発明の第３実施例の分解図である。
図９Ａは、開位置にある本発明の第３実施例のタブ形状のロック爪を示す。
図９Ｂは、閉じ位置にある図９Ａのロック爪の他の形状を示す。
図10は、開位置にある本発明の第３実施例の正面図である。
図11は、閉じ位置にある本発明の第３実施例の正面図である。
図12は、開位置にある本発明の第４実施例の斜面図である。
図13は、閉じ位置にある本発明の第４実施例の斜面図である。
図14は、開位置にある本発明の第５実施例の斜面図である。
図15は、閉じ位置にある本発明の第５実施例の斜面図である。
図16は、開位置にある本発明の第６実施例の斜面図である。
図17Ａは、閉じ位置にある本発明の第６実施例の斜面図である。
図17Ｂは、本発明の第６実施例における他の構造の部分図である。
図18は、部分的に開位置にある本発明の第７実施例の斜面図である。
図19は、閉じ位置にある本発明の第７実施例の正面図である。
発明の詳細な説明
図１は、注入器ヘッドを表しており、符号（20）で示す。シリンジ（22）は、各種実施例において使用されるものである。注入器ヘッド（20）は、ハウジング（21）と前壁（23）を有する。注入器ヘッド（20）は、その注入器ヘッド（20）上へ取り付けたシリンジ（22）を駆動するために用いられる。シリンジ（22）は、管状本体（24）と、その中へ摺動可能に配置されたプランジャー（26）を有する。使用に際して、シリンジ（22）の後部は、注入器前壁（23）の開口部（30）に対向して取り付けられる。シリンジ（22）は開口部（30）へ、任意の適当な手段によって取り付けられる。該手段は、例えば取付フランジ（図示せず）であって、それは米国特許第５，３８３，８５８号に記載されており、この特許は本願と同じ譲受人へ譲渡され、これを引用することによって、全面的に本願の一部とする。以下に記載する任意の圧力ジャケット装置は、シリンジ（22）を注入器前壁（23）へ取り付けるときに、シリンジ（22）を保持するために使用される。シリンジ（22）中の流体は動力手段によって前方へ押し出される。該動力手段は、例えば動力付きピストン（32）であって、開口部（30）から突出及び引き込み可能であり、プランジャー（26）の背面（29）に係合して、シリンジ中でプランジャー（26）を前方へ押す。
図２乃至３は、開位置にある本発明の第１実施例を示している。図４乃至５は、第１実施例の閉じ位置を示している。特に図２に詳細に示すとおり、流体注入器（40）は、軸方向に割れたいわゆる「蛤殻」型の圧力ジャケット（42）を具えている。圧力ジャケット（42）は、注入器ヘッド（20）の前壁（23）へ取り付けられる。シリンジ（46）が圧力ジャケット（42）中へ装填されるとき、以下に更に詳しく記載するとおり、駆動ピストン（32）が前方へ駆動され、シリンジのプランジャー（図示せず）と係合し、シリンジ（46）の本体中でプランジャーを前方へ押し、シリンジ先端（48）から流体を押し出す。シリンジ（46）は透明プラスチックで作られることが望ましく、本体（50）と、該本体（50）へつながる首部（52）と、該首部（52）へつながるルアコネクター（54）（luer connector）を有している。コネクターチューブ（図示せず）がルアコネクター（54）へ接続され、流体を患者へ送る。
図２乃至３で示されるとおり、圧力ジャケット（42）は第１ジャケット半体（56）と第２ジャケット半体（58）を備え、透明プラスチックで作られることが望ましく、それによってシリンジ（46）内に設けたプランジャーの位置が見えるようにする。第１ジャケット半体（56）と第２ジャケット半体（58）は、それぞれシリンジ（46）の本体（50）の外表面に合う形の内表面（64）（66）を有する。第１と第２ジャケット半体（56）（58）は、ピボット蝶番（60）によってつながれ、第１ジャケット半体（56）と第２ジャケット半体（58）が、図２と図３に示すように開位置へ回動できるようにする。ピボット蝶番（60）は、その一端が注入器ヘッド開口部（30）の下位置で、注入器ヘッド（20）の前壁に取り付けられる。なお他の実施例では、ピボット蝶番（60）は開口部（30）から半径方向に変位して配置されるであろう。例えば、もしジャケット半体（56）（58）を上面ではなく側面で開くようにする場合、ピボット蝶番（60）は開口部（30）の一方の側方に配置されるであろう。図２に示すように、ピボット蝶番（60）は、注入器ピストンが動く軸Ａと平行であることが望ましい。開き位置にある圧力ジャケット（42）に対し、シリンジ（46）は第１ジャケット半体（56）と第２ジャケット半体（58）の間へ装填される。２つのジャケット半体（56）（58）は次に閉じられ、図４及び図５に示されるラッチ（62）によってロックされる。あるいは、第１及び第２ジャケット半体（56）（58）の一方を注入器ヘッド（20）の前壁（23）へ取り付け、他方のジャケット半体を注入器ヘッド（20）の前壁（23）へ回転自由に取り付けても可い。
図２乃至５に示されるように、第１実施例はシリンジ（46）と、それに取り付けた任意の管を、流体をほとんどこぼさないで、前方からの装填及び取り外しが出来る。更に、シリンジ（46）は圧力ジャケット（42）中に保持されるから、流体注入操作の際に起こる押出し力の大部分は、シリンジ壁ではなく圧力ジャケット（42）が支持するので、シリンジ（42）の製造に必要な材料の量は減少する。
本発明の第２実施例を図６及び７に示す。図６は、圧力ジャケット装置（72）を有する流体注入器（70）を示しており、該圧力ジャケット装置は、開位置のときシリンジ（76）の装填と取り外しが出来る。圧力ジャケット（72）は、一般に「鰐顎型」と言われており、注入器ヘッド（20）に回転可能に止められ、シリンジ（76）は取り外し可能に装填される。特に第７図に示すように、シリンジ（76）は第１即ち上ジャケット半体（78）と、第２即ち底ジャケット半体（80）によって形成している圧力ジャケット（72）と、ロック環（８２）の組み合わせによって保持されている。上ジャケット半体（78）と底ジャケット半体（80）の両方は、透明プラスチックによって形成し、半円筒形状にすることが望ましい。上及び底ジャケット半体（７８），（８０）の内側の半円筒表面（84）（86）は夫々、シリンジ（76）本体の外表面に対応する。ジャケット半体（78）（80）は夫々、注入器の前壁（73）の近くに配置された後端（88）（90）及び、シリンジ首部（97）に対応して、互いに開口を形成する前端（92）（94）を有する。前端（92）（94）は、シリンジ（76）の円錐状遷移部分（96）の外形状に対応する内表面を具えている。
上ジャケット半体（78）と底ジャケット半体（80）が、図７に示すように閉じ位置にあるとき、ロック環（82）がジャケット半体（78）（80）の周りに、望ましくはジャケット半体（78）（80）の前端（92）（94）の近くに配置される。上ジャケット半体（78）は第１蝶番軸（98）の周りを回転し、底ジャケット半体（80）は、底蝶番軸（100）の周りを回転する。圧力ジャケット（72）を開くには、ロック環（82）を図６に示すように、注入器前壁（73）の方へ向けて上ジャケット半体（78）と底ジャケット半体（80）の長さに沿って移動させる。これによって圧力ジャケット（72）は、上ジャケット半体（78）を第１蝶番軸（98）の周りで回転させ、底ジャケット半体（80）を第２蝶番（100）の周りで回転させて開くことが出来る。２つのジャケット半体（78）（80）の間にリンク（図示せず）を設け、２つの半体が同じ速さで互いに離れ又は近づくように動きを調節しても良い。又は、上又は底ジャケット半体（78）（80）のいずれかを注入器前壁（73）へ固定し、他方のジャケット半体を注入器前壁（73）へ回転可能に取り付けてもよい。開位置のとき、シリンジ（76）は、圧力ジャケット（72）へ装填又は取り外しが出来る。本発明の第１実施例について述べた利点は、この第２実施例についても実現される。
図８乃至１１は本発明の第３実施例を示している。符号（110）で示された流体注入器は、シリンジ（116）に係合する複数本のロック指（114）を有する圧力ジャケット（112）を具えており、図１０はこれの開位置、図１１は閉じ位置を示す。圧力ジャケット（112）はその後端（132）が任意の適当な手段、例えばネジ連結（図示せず）によって、注入器のヘッド（20）へ連結される。シリンジ（116）は、前端部（120）と、開口した後端部（122）とを有する円筒状本体（118）を具えている。シリンジ（116）の前端部（120）はテーパーをなし、首部（124）へ繋がる。円盤状ドリップ鍔（126）が首部（124）の周りに形成される。
圧力ジャケット（112）は、透明プラスチックで形成されることが望ましい中空円筒（128）を具えている。円筒（128）の先端は開口しており、シリンジ（116）の装填と取り外しが出来る。圧力ジャケット（112）の先端（130）は、外表面（134）が円筒（128）の直径よりやや小さい。先端部（130）の外表面（134）は、ねじ溝（図示せず）が施されている。複数本のロック指（114）（図面の実施例では６本を示す）が図１０に示すように、夫々の蝶番点（136）の周りで回転する。各ロック指（114）は、望ましくは傾斜した前端（131）と、後端（133）とを有する。枢止点（136）がロック指（114）の後端（133）の近くに設けられ、先端（130）の周りに形成された溝（138）中に取り付けられる。ロック指（114）は摩擦によってその位置を保ち、先端（130）の縁で互いに半径方向、角度方向に離して保持される。ロック指の数は任意に決めることが出来る。
図８、１０、１１に示すように、通常円筒形であって、内面にネジ溝が施されたロック環（140）が、先端（130）（ネジ面は図示せず）の外表面（134）上へねじ込まれる。ロック環（140）の前端（142）は、半径方向内向きに延びる孔であって、開口孔（114）を形成し、シリンジ本体（118）を圧力ジャケット（112）へ装填するが、ドリップ鍔（126）は圧力ジャケット（112）中へは装填させない。図１０は、前端部（142）の前部の内面は傾斜しており、図１１に示し以下に詳細に記載するように、閉じ位置ではロック指（114）に係合する。
図１０と図１１は、シリンジ（116）がロック環（140）と筒（128）へ挿入され、ドリップ鍔（126）が前端部（142）上へ残った状況を示している。ロック環（140）を更に筒（128）へねじ込むことにより、図１１に示すように、筒（128）の後端（132）に向かって動く。ロック指（114）は夫々枢止点（136）の周りで回動し、ロック環（142）の傾斜内表面がロック指（114）の先端（133）と係合して、図１０の開位置から図１１の閉位置にする。指（114）の先端（131）は、シリンジ（116）を所定位置に保持する。ロック環（140）が筒（128）の先端（130）からねじ込みが緩められると、ロック指（114）は開位置に回動する。バネ部材（図示せず）はロック指（114）が開位置となるように、付勢するようになす。そこでシリンジ（116）は、圧力ジャケット（112）から取り出し、又は装填される。第１実施例について述べた利点は、この実施例でも実現される。
図９Ａと図９Ｂには、ロック指の他の形状の詳細を示している。特に、図９Ａと図９Ｂのロック指（314）は、基部材（316）と、腕（318）を延ばして屈曲しロック指の形に形成したものである。基部材（316）は、枢止点（136）で筒（128）へ回転可能に取り付けられている。基部材（316）と腕（318）の間の角度は、シリンジ（116）の先端部（120）のテーパー角度と同じに作られ、圧力ジャケット（112）内にてシリンジ（116）を、最小の保持力で保持する。図９Ａに示す如く、シリンジ（116）は、ロック環（340）を筒（128）のネジ面（134）上で、圧力ジャケットの後端（132）へ向けて動かすことにより取り出しが出来る。同じく図９Ｂに示すように、ロック環（340）を筒（128）のネジ表面（134）上にて、圧力ジャケットの後端（132）から離れる方向へ動かすことによって所定位置に保持される。ロック指（134）は屈曲しているから、シリンジ（116）が外向き軸方向へ移動することを妨げ、ストッパーの働きをする。従って、上記したとおり、ロック環（340）は内側に傾斜面を設ける必要はない。
本発明の第４実施例を図１２と図１３に示す。図１２は流体注入装置を符号（150）で示しており、分離式前板型の圧力ジャケット（152）が開位置にある。一方、図１３は圧力ジャケット（152）が閉じ位置にある状況を示している。本発明の第３実施例と同じく、圧力ジャケット（152）は任意の適当な手段、例えばネジ溝（図示せず）によって、後端部（168）が注入器前面（23）へ取り付けられる筒部（164）を有する。筒状シリンジ（154）は首部（156）を有し、圧力ジャケット筒（164）の先端（166）へ挿入される。シリンジ（154）は、更に、直径線上で半径方向に突出する翼板（160）（162）を含む整列用フランジ（158）を有しており、圧力ジャケット（152）に対して、シリンジ（154）の向きを揃えるのに有効である。実施例では、フランジ（158）をシリンジ（154）の軸を含む面内に置くことが望ましい。
シリンジ（154）は、第１と第２前板（170）（172）の組み合わせによって所定位置に保持される。望ましい実施例では、第１と第２前板（170）（172）は半円形であって、各板（170）（172）は１つの直線状縁と１つの曲線状縁を有している。板（170）（172）は夫々の直線縁に半円状切込（174）（176）を有しており、これら切込（174）（176）はシリンジ（154）の首部（156）に対する首押え（178）を構成する。前板（170）（172）の直線縁には、シリンジ（154）の翼板（160）（162）に適合する縁溝（180）（182）を形成する。第１前板（170）は、第１連結棒（186）に繋がれた端部を有しており、第１前板（170）を図１２の開位置と、図１３の閉じ位置の間で回動させる。同様に、第２前板（172）は、第２連結棒（184）に取り付けた端部を具え、第２前板（172）を開位置と閉じ位置の間で回転自由とする。
連結棒（184）（186）は端部、即ち、後端を注入器前面（23）へ単に回転自由に取り付けるか、又は注入器ヘッド（20）に設けた歯車（図示せず）に取り付けて、自動的に開閉するようになす。連結棒（184）（186）は、前板（170）（172）へしっかりと取り付けることが望ましい。
圧力ジャケット（152）が図１２に示すように開位置にあるとき、前板（170）（172）は連結棒（184）（186）を回転させながら圧力ジャケット（152）から離れるように回転する。例えば、ヘッド（20）中へ太陽歯車と遊星歯車（図示せず）を設けて、連結棒（184）（186）が対称的に回転するように設ける。開位置ではシリンジ（154）の挿入又は取り出しが出来る。シリンジ（154）がジャケット筒（164）中へ装填されると、前板（170）（172）は図１３に示すように閉じ位置へ回転させる。この閉じ位置では、前板（170）（172）はジャケット筒（164）の前端部（166）を横切っている。前板（170）（172）が閉じ位置へ回転するとき、フランジ溝（180）（182）はフランジ（158）の翼板（160）（162）と係合し、シリンジ（154）を圧力ジャケット（152）内にて適切な真っ直ぐ位置へ整列させる。図面に示す実施例では、適切に整列したときのシリンジフランジ（158）は、連結棒（184）（186）が形成する面と平行である。シリンジフランジ（158）と係合するフランジ溝（180）（182）も又、注入器ヘッドの操作中、シリンジ（154）の回転を防止する。
図１２は又、前板（170）（172）が夫々端部に、ラッチ（192）（194）を有することを示しており、それらは前板の枢止点（188）（190）から離れている。即ち、直径方向の反対側にある。ラッチ（192）（194）は、連結棒（184）（186）の先端に夫々掛って、前板（170）（172）を閉じ位置に止める働きをする。溝（196）（198）が、ラッチ（192）（194）の近くに夫々形成され、枢止点（188）（190）に夫々対応し、前板（170）（172）が閉じ位置にあるときぴったりと嵌る。前板（170）（172）は又、内側に円錐面（図示せず）を具えて、前板が閉じ位置にあるとき、シリンジ（154）の前面に適合させても良い。
前述した第１実施例の利点は、この実施例に於いて実現できる。更に、整列用フランジ（158）に関連して、フランジ溝（180）（182）がシリンジを、ピストン（図示せず）の如き非対称な注入器ヘッド駆動手段と自動的に整列させる。
連結棒（184）（186）をジャケット筒（164）と一体にすることにより、上記実施例を変形できる。上記実施例の２番目の変形例としては、図１のシリンジと同様な物を使って、フランジ溝（180）（182）を省略することが出来る。特に、シリンジ（154）を角度方向に整列させる必要がない場合に用いられる。
図１４，１５は、本発明の第５実施例を示す。図１４は符号（210）を付して流体注入器を表しており、開位置で、揺動型前部保持器方式の圧力ジャケット（212）を有する。図１５は、閉じ位置にある圧力ジャケット（212）を示す。前述の他の実施例と同じく、圧力ジャケット（212）は任意の適当な手段によって、注入器前面（23）上へその後端（220）が取り付けられる。シリンジ（214）は、図１５に示すように首部（226）を有し、圧力ジャケット（212）の前端（218）へ装填される。シリンジ（214）は、シリンジプランジャー（図示せず）に、注入器駆動手段から加えられる力に抗して、前保持板（222）によって所定位置に保持される。該前保持板は、切込（224）を具え、シリンジ（214）の首部（226）が筒（216）から前保持板（222）を通って延びている。切込（224）は、シリンジ（214）の直径よりも小さく、長手方向の軸を横切る方向に延びており、保持板の残りの部分が、注入操作の間、シリンジ（214）から加えられる前向き力に抵抗する。切込（224）は、保持板（222）の中央から保持板（222）の回転方向（以下に説明する）で、板（222）の縁まで延びている。
望ましい実施例では、切込（224）の内面は、シリンジ首部（226）の外表面に係合する形状である。例えば、首部（226）が円筒形であれば、切込（224）の内面は円筒形である。もし首部（226）が円錐形のときは切込（224）の内表面は、角度がつけられる。
連結棒による接続をするための円形カラーであるアダプター（228）が、注入器前面（23）上に取り付られける。又は一体に形成され、圧力ジャケット筒（216）へ近接配置される。カラー（228）は一対の連結棒の軸（230）（232）を有する。ブッシュ（234）（236）が、連結棒のピン（230）（232）の周りを回転してピボットを構成する。ブッシュ（234）（236）は、連結棒（238）（240）の後端と繋がり一体に形成される。連結棒（238）（240）の前端は前保持板（222）へ繋がる。軸（230）（232）は注入器前面（23）上、又はジャケット筒（216）の外面上に形成してもよい。
圧力ジャケット（212）を開くために連結棒（238）（240）と前保持板（222）はブッシュ（234）（236）によって軸（230）（232）の周りを回転させ、シリンジ（214）をジャケット筒（216）の前端（218）へ挿入する。次に、前板（222）と連結棒（238）（240）は所定位置へ回動して戻り、シリンジ（214）を保持する。この実施例の変形例として、前板（222）を連結棒（238）（240）へ夫々繋いで形成した２つの半体によって構成し、前板（222）の各半体は所定位置へ回動してシリンジ（214）を保持することが出来る。前述した第１実施例の利点は、この実施例にも実現される。
図１６は符号（250）で示した流体注入器であって、「コーキングガン」型の圧力ジャケット（252）を有する。前述した実施例と同じく、圧力ジャケット（252）は使用状態にあるとき、ピストン（図示せず）は注入器ヘッド（20）内部にあって、シリンジ（254）の中空本体中に配備されたプランジャー（図示せず）に前向き力を加え、前接続端（256）から流体を押し出す。圧力ジャケット（252）は、透明プラスチックで作られたジャケット筒（258）を有する。ジャケット（258）は軸（260）（262）の周りを回転し（最終状態を仮想線で示す）、注入器ヘッド（20）の前面（264）へ回転可能に取り付けられる。前面（264）は曲面又は傾斜面であって、筒（258）が軸（260）（262）の周りで回動することを許容する。筒（258）は前端開口部（265）を有しており、シリンジ（254）はそこで装填又は取り外しされる。
注入器ヘッド（20）には、延長腕（266）の後端が取り付けられる。該延長腕は、シリンジが圧力ジャケット（252）中に装填され、注入操作状態にあるときの、シリンジ（254）の長手方向軸と平行に配置されている。保持壁（268）が腕（266）の前端に直角に取り付けられている。保持壁（268）は、内表面（270）が球面又は円錐面の形状であって、シリンジ筒本体（274）とシリンジ先端部（256）の間にある、シリンジの遷移領域（272）の球面、又は円錐面上の外表面に嵌るようになっている。保持壁（268）は上向に開いた切込（276）を有しており、図１７Ａの如く圧力ジャケット筒（258）を閉じ位置へ移動させたとき、シリンジ（254）の首部（256）をはめる。切込（276）は、圧力ジャケット（252）の回動方向と同方向に切り込まれている。
図１６に示すように、圧力ジャケット（252）の筒（258）は開位置に回動して、筒（258）の開口端（265）からシリンジ（254）を装填又は取り外しが出来る。筒（258）は、次に逆向き回動させ、腕（266）へ載せ、シリンジ首部（256）は保持壁（268）の切込（276）へ入り込む。上記した利点はこの実施例においても実現される。
図１７Ｂは図１７Ａに示した実施例の変形例である。突起（277）が筒（258）に取り付けられ、圧力ジャケット（252）が閉じ位置にあるとき、保持壁（268）の切込（276）と係合して、シリンジ（254）を圧力ジャケット（252）中へ更に保持する。
図１８，１９は本発明の最後の実施例であって、シリンジ（284）の挿入と保持を行う「摺動キャノピー」型圧力ジャケット（282）を有する流体注入器（280）である。圧力ジャケット（282）は、開いた前端（288）と開いた後端（290）を有するキャノピー（286）を具えている。キャノピー（286）は注入器ヘッド（20）へ摺動可能に取り付けられる。注入器ヘッド（20）の前板（293）に、開口（292）を形成し、キャノピー（286）は注入器ヘッド（20）内へ引き込むことが出来る。キャノピー（286）は透明プラスチックによって作られることが望ましい。又は、キャノピー（286）は、注入器ヘッド（20）から延びる固定筒（図示せず）に望遠鏡のように又は、被さるようにする。
腕（294）は、基端部即ち後端部が注入器ヘッド（20）上へ取り付けられる。腕（294）の他方の端部即ち先端は、シリンジ（284）の首部（302）を嵌める切込（298）を有する保持壁（296）へ、直角に取り付けられる。使用時には、シリンジ（284）は腕（294）上へ置かれ、そのときシリンジ（284）の首部（302）は保持壁（296）の切込（298）中へ置かれる。保持壁（296）はシリンジ（284）の前面に対応する円錐型である。シリンジ（284）を所定位置に保持するため、キャノピー（286）は図１９に示す如く、キャノピー（286）の内面（306）に形成した溝（304）によって腕（294）に沿って移動する。この構成によりキャノピー（286）は、開位置から閉じ位置へ、又はその逆向きに腕（294）上で摺動し、シリンジ（284）の取り出し又は装填が出来る。上述した利点はこの実施例においても実現される。
上記の実施例は、単に本発明の原理を描くためのものである。他の構造と利点は本発明の精神と範囲から逸脱することなく、当技術分野における技術者であれば思い付くであろう。例えば、ここに記載したドリップ鍔と他の特徴は、他の装置によっても同じく使用出来る。従って、本発明は上記実施例に限定されるのではなく、添付の請求範囲の精神と範囲によってのみ認められるべきである。
【図１】
0003935504.tif 000002
【図２】
0003935504.tif 000003
【図３】
0003935504.tif 000004
【図４】
0003935504.tif 000005
【図５】
0003935504.tif 000006
【図６】
0003935504.tif 000007
【図７】
0003935504.tif 000008
【図８】
0003935504.tif 000009
【図９Ａ】
0003935504.tif 000010
【図９Ｂ】
0003935504.tif 000011
【図１０】
0003935504.tif 000012
【図１１】
0003935504.tif 000013
【図１２】
0003935504.tif 000014
【図１３】
0003935504.tif 000015
【図１４】
0003935504.tif 000016
【図１５】
0003935504.tif 000017
【図１６】
0003935504.tif 000018
【図１７Ａ】
0003935504.tif 000019
【図１７Ｂ】
0003935504.tif 000020
【図１８】
0003935504.tif 000021
【図１９】
0003935504.tif 000022